(57)【要約】【課題】回転テーブル上からスクレーパにより落下する粉体を受けて下部に導く粉体取出装置における粉体の流動を安定させて粉体の供給精度を高める。【解決手段】スクレーパ７によって回転テーブル１の周端１ａから落下する粉体を受けて下部に導く粉体取出装置８を有するテーブルフィーダであって、回転テーブル１の外周面１９に当接する当接部材２０を粉体取出装置８に設け、回転テーブル１の外周面１９と当接部材２０との接触により粉体取出装置８を振動させる振動機構２１を構成する。【選択図】図１
2010173762.tif 000002
【特許請求の範囲】
【請求項１】
水平回転する円形の回転テーブルと、該回転テーブル上に粉体を供給する粉体供給部と、回転テーブルの周端から粉体が落下しないように回転テーブルを包囲し且つ一部に切欠部を備えた包囲壁と、前記回転テーブル上に配置して回転テーブル上の外周側に所要厚さの粉体層を形成するすり切り板と、前記回転テーブル上の周端縁側の粉体を前記切欠部の位置において回転テーブルの周端から一定量落下させるスクレーパと、該スクレーパによって落下する粉体を受けて下部に導く粉体取出装置とを有するテーブルフィーダであって、
前記回転テーブルの外周面に当接する当接部材を前記粉体取出装置に設け、回転テーブルの外周面と当接部材との接触により前記粉体取出装置を振動させる振動機構を構成した
ことを特徴とするテーブルフィーダ。
【請求項２】
前記回転テーブルの外周面に前記粉体取出装置の当接部材を押付けておくための押付け手段を有する請求項１に記載のテーブルフィーダ。
【請求項３】
前記当接部が当接する回転テーブルの外周面に凹凸部を備えた請求項１又は２に記載のテーブルフィーダ。
【請求項４】
前記当接部材が当接する回転テーブルの外周面が、回転テーブルの直径より小さい直径を有して回転テーブルの下面に形成した段部である請求項１〜３のいずれか１つに記載のテーブルフィーダ。
【発明の詳細な説明】
【技術分野】
【０００１】
本発明は、回転テーブル上からスクレーパにより落下する粉体を受けて下部に導く粉体取出装置における粉体の流動を安定させて粉体の供給精度を高めるようにしたテーブルフィーダに関する。
【背景技術】
【０００２】
従来より、スクレーパ式のテーブルフィーダは知られている。テーブルフィーダは、水平回転する回転テーブルと、該回転テーブル上の中心側に粉体を供給する粉体供給部と、回転テーブル上の粉体が周端から落下しないように回転テーブルを包囲する一部に切欠部を有する包囲壁と、前記回転テーブルの外周側上部に配置して回転テーブル上の外周側に所要厚さの粉体層を形成するすり切り板と、前記回転テーブルの周端縁側において粉体層の粉体を前記切欠部の位置で回転テーブルの周端から一定量落下させるスクレーパと、該スクレーパによって落下する粉体を受けて下部に導く粉体取出装置とを有している。
【０００３】
一方、パウダー状の微細な粉体を取り扱う薬品分野、食品分野、或いは試験装置分野等においては、前記粉体取出装置に落下した粉体を空気輸送によって目的場所に供給することが行われている。このように空気輸送する場合には、前記粉体取出装置の下端をシール装置を介し貫通させて該粉体取出装置の下端より上部の前記装置を包囲するようにした空気室を設け、該空気室に加圧空気を供給することにより前記粉体取出装置に落下した粉体を目的場所へ空気輸送するようにしている。
【０００４】
前記テーブルフィーダについて技術開示した先行技術情報としては、下記の特許文献１がある。
【特許文献１】特開２００８−０６８９７９号公報
【発明の開示】
【発明が解決しようとする課題】
【０００５】
従来のテーブルフィーダにおいては、回転テーブルから落下する粉体が一定量になるように、スクレーパ部分の構造等を種々工夫することが行われているが、前記したようなパウダー状の粉体の供給に用いる場合には、前記回転テーブルから落下する粉体を受けて下部に導くための粉体取出装置部分において粉体の移動が一時的に滞って堆積しその後一気に流下するといった問題が生じており、特に粉体が湿っている場合には更に堆積し易いという問題を有していた。
【０００６】
このように粉体取出装置で粉体が堆積すると、空気輸送される流体の供給量が時間系で変動することになり、粉体の供給精度が低下するという問題があった。
【０００７】
前記粉体取出装置での流動性を向上させて粉体の供給精度を高めるために、前記粉体取出装置に振動装置を取り付け、振動装置により粉体取出装置を振動させるようにしたものがある。前記振動装置は、粉体取出装置の空気室より外部に設ける場合と、粉体取出装置の空気室の内部に設ける場合と、更にその両方に設ける場合がある。
【０００８】
しかし、前記したように、空気室より外部の粉体取出装置に振動装置を設けた場合には、粉体取出装置はシール装置を介して空気室を貫通しているために、振動装置による振動が粉体取出装置全体に効果的に伝わり難いという問題を有していた。又、空気室の内部の粉体取出装置に振動装置を設けた場合には、空気室が大きくなり装置が大型になってしまう問題を有していた。
【０００９】
更に、前記したように振動装置を設けた場合には振動装置分の装置コストが増加するという問題があった。
【００１０】
更に、振動装置で粉体取出装置を振動させる際の粉体の挙動は非常に複雑で予測がつき難く、粉体取出装置が上下に振動したり、或いは上下方向の振動成分が生じた場合には、粉体取出装置上で粉体が踊って舞い上がる現象が生じ、このために粉体が粉体取出装置外に落下してしまい高い精度での粉体の供給ができなくなるという問題を有していた。
【００１１】
本発明の目的は、回転テーブル上からスクレーパにより落下する粉体を受けて下部に導く粉体取出装置における粉体の流動を安定させて粉体の供給精度を高めるようにしたテーブルフィーダを提供することにある。
【課題を解決するための手段】
【００１２】
本発明は、水平回転する円形の回転テーブルと、該回転テーブル上に粉体を供給する粉体供給部と、回転テーブルの周端から粉体が落下しないように回転テーブルを包囲し且つ一部に切欠部を備えた包囲壁と、前記回転テーブル上に配置して回転テーブル上の外周側に所要厚さの粉体層を形成するすり切り板と、前記回転テーブル上の周端縁側の粉体を前記切欠部の位置において回転テーブルの周端から一定量落下させるスクレーパと、該スクレーパによって落下する粉体を受けて下部に導く粉体取出装置とを有するテーブルフィーダであって、
前記回転テーブルの外周面に当接する当接部材を前記粉体取出装置に設け、回転テーブルの外周面と当接部材との接触により前記粉体取出装置を振動させる振動機構を構成した
ことを特徴とするテーブルフィーダ、に係るものである。
【００１３】
上記テーブルフィーダにおいて、前記回転テーブルの外周面に前記粉体取出装置の当接部材を押付けておくための押付け手段を有することは好ましい。
【００１４】
又、上記テーブルフィーダにおいて、前記当接部材が当接する回転テーブルの外周面に凹凸部を備えていることは好ましい。
【００１５】
又、上記テーブルフィーダにおいて、前記当接部材が当接する回転テーブルの外周面が、回転テーブルの直径より小さい直径を有して回転テーブルの下面に形成した段部であることは好ましい。
【００１６】
又、上記テーブルフィーダにおいて、前記粉体取出装置は、スクレーパによって落下する粉体を受ける傾斜スライダと、該傾斜スライダから落下する粉体を受けるロート付き取出ダクトとから構成されていてもよい。
【００１７】
又、上記テーブルフィーダにおいて、前記粉体取出装置は、前記傾斜スライダとロート付き取出ダクトが連結されていてもよい。
【００１８】
又、上記テーブルフィーダにおいて、前記粉体取出装置の下端を貫通させて該粉体取出装置の下端より上部の装置を包囲する空気室を有することは好ましい。
【発明の効果】
【００１９】
本発明のテーブルフィーダによれば、回転テーブルの外周面に当接する当接部材を粉体取出装置に設け、回転テーブルの外周面と当接部材との接触により粉体取出装置を振動させる振動機構を構成したので、回転テーブルの回転を利用して特別の振動装置を備えることなしに粉体取出装置を振動させられるという優れた効果を奏し得る。
【００２０】
回転テーブルの外周面に当接部材が当接することで粉体取出装置が振動するため、粉体取出装置に作用する振動は水平方向に限定されることになり、従って、粉体が踊って舞い上がる問題を防止し、粉体が粉体取出装置内を安定して流動する効果がある。
【００２１】
粉体の供給量を変化させるために回転テーブルの回転速度を変更すると、回転テーブルの回転速度に見合った周波数で粉体取出装置が振動するため、粉体取出装置に落下する粉体量に応じた振動によって粉体を流動させられる効果がある。
【発明を実施するための最良の形態】
【００２２】
以下、本発明の実施の形態を添付図面を参照して説明する。
【００２３】
図１は本発明のテーブルフィーダの一例を示す斜視図、図２は図１の部分切断正面図である。
【００２４】
図１、図２に示すテーブルフィーダは、水平な円形の回転テーブル１を有しており、該回転テーブル１はモータ２によって速度可変に回転駆動されるようになっている。回転テーブル１の上部には、回転テーブル１との間に隙間を有して配置され、回転テーブル１上の中心側に粉体を供給するようにしたホッパー状の粉体供給部３を設けている。回転テーブル１の外周には、回転テーブル１の周端１ａから粉体が落下しないように回転テーブル１を包囲し且つ一部に切欠部４を備えた包囲壁５が設けられている。前記回転テーブル１における粉体供給部３より外側の外周側上部には、粉体供給部３の下端から供給された粉体を回転テーブル１上の外周側において所要厚の粉体層を形成するようにしたすり切り板６を設けている。更に、前記回転テーブル１上には、前記すり切り板６によって形成された粉体層を、回転テーブル１上の周端１ａに近い周端縁側で且つ前記切欠部４の位置において回転テーブル１の周端１ａから一定量落下させるようにしたスクレーパ７を設けている。スクレーパ７は矢印で示すように、回転テーブル１の半径方向の調整或いは上下方向の調整を行うことによって、粉体の落下量（切り出し量）を調節できるようになっている。更に、前記スクレーパ７が設けられた位置の回転テーブル１の下部には、スクレーパ７によって落下する粉体を受けて下部に導くための粉体取出装置８を設けている。
【００２５】
図１、図２の粉体取出装置８は、スクレーパ７によって落下する粉体を受ける角型樋状の傾斜スライダ９と、該傾斜スライダ９の下端から落下する粉体を受けるロート１０付き取出ダクト１１とを有する場合を示している。前記傾斜スライダ９は支柱１２によって支持されており、又、前記ロート１０付き取出ダクト１１はその下端が図示しない固定手段によって固定されている。尚、前記粉体取出装置８の傾斜スライダ９とロート１０付き取出ダクト１１は、図示は省略するが溶接、ボルト等によって連結されている。
【００２６】
ここで、前記傾斜スライダ９は、図３に示すように傾斜上端の上縁から外方へ水平に延びたフランジ１３を有しており、このフランジ１３が前記支柱１２の上端にナット１４，１５を介して取り付けられている。この時、フランジ１３には支柱１２の直径より大きい口径の孔１６が形成してあり、更にナット１４，１５とフランジ１３との間には僅かな隙間が形成されており、よって、フランジ１３は上下方向の動きは支柱１２及びナット１４，１５によって拘束されているが、水平方向には自由に移動できるようになっている。
【００２７】
更に、図１、図２に示すように、前記粉体取出装置８のロート１０付き取出ダクト１１の下端を貫通させて該粉体取出装置８の下端より上部の上記装置を包囲するようにした空気室１７を設けている。１８は空気室１７に加圧空気を供給する空気口である。
【００２８】
上記構成において、図１、図３に示すように、前記回転テーブル１の外周面１９に当接する当接部材２０を前記粉体取出装置８の上部に突出させて設け、回転テーブル１の外周面１９と当接部材２０との接触により前記粉体取出装置８を振動させるようにした振動機構２１を構成している。
【００２９】
更に、前記回転テーブル１の外周面１９と当接部材２０との接触を確実に行わせるために、図４に示す如く、前記粉体取出装置８の当接部材２０を常時回転テーブル１の外周面１９に押付けておくためのスプリング或いはその他の弾性部材からなる押付け手段２２を設けている。尚、当接部材２０は、自身が持つ弾性力によって回転テーブル１の外周面１９に押付けるようになっていてもよく、この場合には押付け手段２２は省略することができる。
【００３０】
前記当接部材２０が当接する回転テーブル１の外周面１９は平滑な面を有していても、当接部材２０の押付けによる金属同士の接触によって僅かな振幅（ストローク）の振動が粉体取出装置８に与えられる。従って、極めて微細な粉体を少量供給する場合には、回転テーブル１の外周面１９が平滑面であっても粉体取出装置８での粉体の流動性を高めることができる。
【００３１】
一方、図４に示すように、回転テーブル１の外周面１９に凹凸部２３を備えるようにすると、凹凸部２３の高さによって任意の振幅の振動を粉体取出装置８に与えることができる。図４では、回転テーブル１の外周面１９に鋸歯状の凹凸部２３を加工して形成した場合を示しているが、回転テーブル１の外周面１９を粗く仕上げることによって素材としての凹凸部２３を持たせるようにしてもよく、又、所要の器具を用いて外周面１９を傷付けることによって凹凸部２３を形成するようにしてもよく、或いはローレット加工によって外周面１９に凹凸部２３を形成するようにしてもよい。又、前記当接部材２０は、凹凸部２３を安定して乗り越えて粉体取出装置８に振動を与えられるように傾斜面２０ａを備えたナイフ形状を有していてもよく、或いは曲面を有していてもよい。又、当接部材２０としては、図５に示すように、押付けローラ２４を有して凹凸部２３を乗り越えるようになっていてもよい。このように押付けローラ２４による当接部材２０とした場合には騒音を軽減することができる。
【００３２】
図６は本発明の他の例を示したもので、前記当接部材２０が当接する回転テーブル１の外周面１９が、回転テーブル１の直径より小さい直径を有して回転テーブル１の下面に形成した段部２５である場合を示しており、この段部２５に凹凸部２３を形成している。
【００３３】
次に、上記図示例の作動を説明する。
【００３４】
図１、図２において、モータ２により回転テーブル１を回転した状態において、粉体供給部３から回転テーブル１上の中心側に粉体を供給すると、粉体は回転テーブル１の回転による遠心力によって外周側に送り出されるが、この時、回転テーブル１の外周側の上部にはすり切り板６が設けあるので、このすり切り板６の作用によって該すり切り板６の回転後流側には均一な厚さの粉体層が形成される。この時、回転テーブル１の外周端縁には包囲壁５が形成されているので、回転テーブル１の周端１ａから粉体が落下することはない。
【００３５】
前記すり切り板６によって形成された粉体層は、すり切り板６の回転後流側における回転テーブル１上の周端１ａに近い周端縁側に設けたスクレーパ７によって、切欠部４の位置において回転テーブル１の周端１ａから一定量落下される。この時、スクレーパ７を矢印で示すように回転テーブル１の半径方向へ調整する或いは上下方向へ調整することによって、粉体の落下量（切り出し量）を調節することができる。
【００３６】
前記スクレーパ７によって落下した粉体は粉体取出装置８の傾斜スライダ９内に落下して滑降してその下端からロート１０付き取出ダクト１１に落下する。この時、空気室１７には空気口１８から加圧空気が供給されているので、ロート１０付き取出ダクト１１に落下した粉体は、粉体取出装置８内を通る空気によって目的場所へ搬送される。
【００３７】
上記において、回転テーブル１の外周面１９に当接する当接部材２０を粉体取出装置８に設けて、回転テーブル１の外周面１９と当接部材２０との接触により粉体取出装置８を振動させるようにした振動機構２１を構成したので、回転テーブル１の回転を利用して特別の振動装置を備えることなしに粉体取出装置８を振動させることができる。
【００３８】
この時、図３に示すように、傾斜スライダ９を支柱１２に取り付けるフランジ１３には支柱１２の直径より大きい口径の孔１６が形成してあり、更にナット１４，１５とフランジ１３との間には僅かな隙間が形成されているので、フランジ１３は上下方向の動きは支柱１２によって拘束されるが、水平方向には自由に移動でき、よって、粉体取出装置８に作用する振動は水平方向に限定される。従って、粉体取出装置８の振動によって粉体が踊って舞い上がる問題は防止され、粉体を安定流動させることができる。
【００３９】
又、前記傾斜スライダ９とロート１０付き取出ダクト１１を連結すると、前記傾斜スライダ９に加えられた振動はロート１０付き取出ダクト１１に伝えられてロート１０付き取出ダクト１１も振動するようになる。
【００４０】
ここで、スクレーパ７によって傾斜スライダ９に落下する粉体は、落下位置において流動が滞ったり堆積する問題が生じ易い問題がある。しかし、前記したように当接部材２０を回転テーブル１の外周面１９に押付けることによって付加される振動の振幅は傾斜スライダ９の上端側が最も大きいため、落下した粉体は堆積することなく安定して流下するようになる。更に、このように一旦流動化された粉体は、振動の振幅が小さくなる傾斜スライダ９の下端側やロート１０付き取出ダクト１１においても堆積することなく良好に流下するようになる。
【００４１】
又、粉体の供給量を変化させるために回転テーブル１の回転速度を変更すると、回転テーブル１の回転速度に見合った周波数で粉体取出装置８が振動することになるため、傾斜スライダ９に落下する粉体量に応じた振動によって粉体が流動されるようになる。
【００４２】
一方、図６に示すように、前記当接部材２０が当接する回転テーブル１の外周面１９を、回転テーブル１の直径より小さい直径を有して回転テーブル１の下面に形成した段部２５とした場合には、粉体が前記凹凸部２３に付着するような問題がなくなる。
【００４３】
尚、上記形態では、粉体取出装置が傾斜スライダとロート付き取出しダクトからなる場合について例示したが、図示例以外の形状、構成を有している場合にも適用できること、その他、本発明の要旨を逸脱しない範囲内において種々変更を加え得ることは勿論である。
【図面の簡単な説明】
【００４４】
【図１】本発明のテーブルフィーダの一例を示す斜視図である。
【図２】図１の部分切断正面図である。
【図３】傾斜スライダの支持の構成例を示す詳細図である。
【図４】回転テーブルの外周面に設けた凹凸部と、粉体取出装置に備えた当接部材の一例を示す平面図である。
【図５】粉体取出装置に備えた当接部材の他の例を示す平面図である。
【図６】本発明の他の例を示す部分切断正面図である。
【符号の説明】
【００４５】
１  回転テーブル
１ａ        周端
３  粉体供給部
４  切欠部
５  包囲壁
６  すり切り板
７  スクレーパ
８  粉体取出装置
９  傾斜スライダ
１０  ロート
１１  取出ダクト
１７  空気室
１９  外周面
２０  当接部材
２１  振動機構
２２  押付け手段
２３  凹凸部
２５  段部
【図１】
2010173762.tif 000003
【図２】
2010173762.tif 000004
【図３】
2010173762.tif 000005
【図４】
2010173762.tif 000006
【図５】
2010173762.tif 000007
【図６】
2010173762.tif 000008